(57)【要約】      （修正有）【課題】製作が容易で製品コストを低減し得るように改良した表札を提供することにある。【解決手段】表札取付場所に固定可能な所定長さの表札本体１に、居住者名を横書き表示する複数個の文字部品７を適宜の文字間隔を存して取付けた表札において、各文字部品７を文字部１７ａの下端に脚部１７ｂを一体的に設けた脚付きの文字部品として形成し、この各文字部品７の脚部１７ｂに抜止用の係合部となる突条部１７ｃを設けたこと、表札本体１を、表札取付場所に固定可能な取付部材２と、この取付部材２に締付ねじ３，４で締着固定され文字部品７の脚部１７ｂを取付部材２との間に挟持する本体部材５とを具備する構成とし、この本体部材５又は取付部材２の少なくとも一方に各文字脚部１７ｂの抜止用係合部が係合可能な掛合部として横長溝６を設けた。【選択図】図１
0003106765.tif 000002
【実用新案登録請求の範囲】
【請求項１】
表札取付場所に固定可能な所定長さの表札本体に、居住者名を横書き表示する複数個の文字部品を適宜の文字間隔を存して取付けた表札において、
前記各文字部品を文字部の下端に脚部を一体的に設けた脚付きの文字部品として形成し、この各文字部品の脚部に抜止用の係合部を設けたこと、
前記表札本体を、表札取付場所に固定可能な取付部材と、この取付部材に締付ねじで締着固定され前記文字部品の脚部を前記取付部材との間に挟持する本体部材とを具備する構成とし、この本体部材又は前記取付部材の少なくとも一方に各文字脚部の抜止用係合部が係合可能な掛合部を設けたことを特徴とする表札。
【請求項２】
前記係合部と前記掛合部のいずれか一方が凸部であり、他方が前記凸部と嵌合可能な凹部であることを特徴とする請求項１に記載の表札。
【請求項３】
前記係合部が文字脚部に横方向に向けて一体的に凸設した突条部であり、前記掛合部が前記本体部材又は前記取付部材のいずれか一方に部材長さ方向に向けて凹設され前記突条部を適宜の文字間隔位置で嵌合固定する横長溝であることを特徴とする請求項１に記載の表札。
【考案の詳細な説明】
【技術分野】
【０００１】
この考案は、家の門や塀等の表札取付場所に取付けて使用する表札に関するものである。
【背景技術】
【０００２】
従来、前記のような表札として、表札取付場所に固定可能な所定長さの表札本体に、居住者名（例えば英文字の名字）を横書き表示する複数個の文字部品を適宜の文字間隔を存して取付けた構成のものは知られている。
【考案の開示】
【考案が解決しようとする課題】
【０００３】
しかし、前記従来の表札は、表札本体と表札構成に必要な数の文字部品（英文字表札の場合にはアルファベット２６文字の英文字部品）を溶接可能な鉄等の金属部品としてメーカー側に予め用意しておき、発注者から英文字の表札を受注した時に、用意したアルファベット２６文字の英文字部品の中から該当する居住者名の英文字部品を選択し、この所定個数の英文字部品を金属製の表札本体に所定の文字間隔で一個ずつ溶接固定して取付けるという方法で製作しているので、表札の製作に長い時間を要し製品コストが高くなるという問題があった。
【０００４】
この考案は、前記事情に着目してなされたもので、その目的とするところは、製作が容易で製品コストを低減し得るように改良した表札を提供することにある。
【課題を解決するための手段】
【０００５】
この考案は、前記の目的を達成するために、請求項１は、表札取付場所に固定可能な所定長さの表札本体１に、居住者名を横書き表示する複数個の文字部品７を適宜の文字間隔を存して取付けた表札において、前記各文字部品７を文字部１７ａの下端に脚部１７ｂを一体的に設けた脚付きの文字部品として形成し、この各文字部品７の脚部１７ｂに抜止用の係合部を設けたこと、前記表札本体１を、表札取付場所に固定可能な取付部材２と、この取付部材２に締付ねじ３，４で締着固定され前記文字部品７の脚部１７ｂを前記取付部材２との間に挟持する本体部材５とを具備する構成とし、この本体部材５又は前記取付部材２の少なくとも一方に各文字脚部１７ｂの抜止用係合部が係合可能な掛合部を設けたことを特徴とする。
【０００６】
請求項２は、前記係合部と前記掛合部のいずれか一方を凸部とし、他方を前記凸部と嵌合可能な凹部としたことを特徴とする。
【０００７】
前記係合部と前記掛合部を請求項２のように凹凸部で嵌合可能な構造にすると、凹凸嵌合部の間隔を、表札本体１の長さを表札名として想定される最大文字数（例えば１０文字）で割った等間隔寸法に形成しなければならず、製作すべき表札名（居住者名）の文字数が想定される最大文字数より少ない場合（例えば６文字位の表札名の場合）に、文字間隔の調整を行うことができず、表札本体１に対する表札文字の配列間隔がアンバランスになる等の問題が生じる。
【０００８】
そこで、請求項3では各文字部品７の脚部１７ｂに設けられる係合部を横方向に向けて一体的に凸設した突条部１７ｃとし、前記掛合部を本体部材５又は取付部材２のいずれか一方に部材長さ方向に向けて凹設され前記突条部１７ｃが適宜の文字間隔位置で嵌合固定される横長溝６としたことを特徴とする。
【考案の効果】
【０００９】
この考案の請求項１及び２に係る表札によれば、表札本体１を構成する取付部材２及び本体部材５と、表札構成に必要な数の文字部品７（英文字表札の場合にはアルファベット２６文字の英文字部品）をメーカー側に予め用意しておき、発注者から例えば英文字の表札を受注した時には、用意したアルファベット２６文字の英文字部品の中から該当する居住者名の英文字部品７ａ〜７ｇを選択し、この所定個数の英文字部品７ａ〜７ｇを、その脚部１７ｂを取付部材２と本体部材５との間に挟持固定し、係合部と掛合部（凸部と凹部）の係合により抜け止めして取付けるという方法で簡単に製作することができるので、従来の溶接構造のものより製作が容易で製品コストを大幅に低減することができるという優れた実用上の効果を奏する。  
また請求項３に係る表札は、各文字部品７の脚部１７ｂに設けられる係合部を横方向に向けて一体的に凸設した突条部１７ｃとし、前記掛合部を本体部材５又は取付部材２のいずれか一方に部材長さ方向に向けて凹設され前記突条部１７ｃが適宜の文字間隔位置で嵌合固定される横長溝６としたので、表札の文字数が多くても少なくても、その文字数に対応する文字間隔を適宜に調整し、所定数の文字部品７を表札本体１にバランス良く配置し且つ抜止めして簡単に取付けることができるという実用上の効果を奏する。
【考案を実施するための最良の形態】
【００１０】
以下、この考案の実施の形態を図１乃至図４の図面に従い具体的に説明する。図１は英文字表札として構成した場合の実施例を示す要部切欠正面図、図２は図１のａ−ａ線に沿う横断面図、図３は図１のｂ−ｂ線に沿う矢視断面図、図４はアルファベット２６文字の中の代表した１つの英文字部品を「Ｔ」の英文字部品で示した正面図である。
【００１１】
図中１は家の門や塀等の表札取付場所に固定可能な所定長さ例えば４０ｃｍ位の長さを有する表札本体で、この表札本体１は裏側２箇所に埋設杆２ａ，２ｂ（ブロック塀等の表札取付場所に穿設した取付孔に接着剤を付けて嵌挿することにより固定される）を図２の如く溶接固定して取付けた表札取付場所に固定可能なアルミバーで形成された取付部材２と、この取付部材２に締付ねじ３，４で締着固定され後述する文字部品７の脚部１７ｂを前記取付部材２との間に図２の如く挟持するアルミ鋳物の本体部材５とを具備する構成となっている。この本体部材５の取付部材２との対向面には、後述する文字部品７の係合部（突条部１７ｃ）が図３の如く係合可能な掛合部としての横長溝６が部材長さ方向に向けて連続的に凹設されている。
【００１２】
７は居住者名を横書き表示する複数個の文字部品で、図１に示す図示例の場合には「ＫＯＭＡＴＳＵ」という英語の居住者名を横書き表示する７個の英文字部品７ａ〜７ｇからなる。この各文字部品７（７個の英文字部品７ａ〜７ｇを含むアルファベット２６文字全部の英文字部品）は、文字部１７ａの下端に脚部１７ｂを一体的に設けた図４に示すようなアルミ鋳物の脚付き文字部品として形成され、この各文字部品７の脚部１７ｂには抜止用の係合部として本体部材５の横長溝６に嵌合固定可能な突条部１７ｃが横方向に向けて一体的に凸設されている。なお、各文字部品７の脚部１７ｂは、その脚幅が文字部１７ａの下端取付幅に対応させて図１、図２の如く複数種類に変化している。
【００１３】
而して、表札本体１を構成する取付部材２及び本体部材５と、表札構成に必要な数の文字部品７（英文字表札の場合にはアルファベット２６文字の英文字部品）をメーカー側にストック部品として予め用意しておけば、発注者から例えば英文字の表札を受注した時に、用意したアルファベット２６文字の英文字部品の中から該当する居住者名の英文字部品を選択し、この所定個数の英文字部品７ａ〜７ｇを本体部材５の横長溝６に対する文字脚突条部１７ｃの嵌合接着で図１の如く配列固定し、その各英文字部品７ａ〜７ｇの脚部１７ｂを取付部材２と本体部材５との間に挟持し締付ねじ３，４による締着で挟持固定すると共に、前記係合部と前記掛合部（突条部１７ｃと横長溝６）との係合により抜け止めして取付けるという方法で図１に示すような英文字の表札を簡単に製作することができる。
【００１４】
なお、前記実施例は文字脚部１７ｂの係合部を突条部１７ｃとし、この突条部１７ｃが係合可能な掛合部として横長溝６を本体部材５に設けた場合について説明したが、文字脚部１７ｂの裏側に突条部１７ｃを設け、この突条部が係合可能な横長溝６を前記取付部材２に設けることもできる。また、前記係合部と前記掛合部のいずれか一方を嵌め合い突起のような凸部とし、他方を前記凸部と嵌合可能な嵌合孔の如き凹部とすることも可能である。更に、居住者名を横書き表示する複数個の文字部品７は、英文字のものに限定されるものではなく、平仮名文字や片仮名文字等の文字部品として形成することもできる。
【００１５】
図５は前記表札本体１を、表札取付場所に固定可能な取付部材２と、この取付部材２に締付ねじ３，４で締着固定され前記文字部品７の脚部１７ｂを前記取付部材２との間に挟持する本体部材５とで構成し、この本体部材５に結合部８ａ，８ｂで溶接固定されるアルミ鍛造品の装飾部材８（装飾部材は各種デザインのものがある）を設けた実施例を示す。この実施例における各文字部品７の取付構造等については、前記実施形態のものと同様であるから、同一部分に同符号を付して詳細な構成説明は省略する。
【００１６】
なお、この考案は前記実施形態そのままに限定されるものではなく、実施段階ではその要旨を逸脱しない範囲で構成要素を変形して具体化できる。また、前記実施形態に開示されている複数の構成要素の適宜な組合せにより種々の考案を形成できる。例えば、実施形態に示される全構成要素から幾つかの構成要素を削除してもよい。さらに、異なる実施形態に亘る構成要素を組合わせてもよい。
【図面の簡単な説明】
【００１７】
【図１】この考案の一実施例（英文字表札として構成した場合の実施例）を示す要部切欠正面図。
【図２】図１のａ−ａ線に沿う横断面図。
【図３】図１のｂ−ｂ線に沿う矢視断面図。
【図４】アルファベット２６文字の中の代表した１つの英文字部品を「Ｔ」の英文字部品で示した正面図。
【図５】本体部材に装飾部材を設けた実施例を示す正面図。
【符号の説明】
【００１８】
１…表札本体、２…取付部材、３，４…締付ねじ、５…本体部材、６…掛合部としての横長溝、７…文字部品、７ａ〜７ｇ…表札名を構成する７個の英文字部品、１７ａ…文字部、１７ｂ…脚部、１７ｃ…係合部としての突条部。
【図１】
0003106765.tif 000003
【図２】
0003106765.tif 000004
【図３】
0003106765.tif 000005
【図４】
0003106765.tif 000006
【図５】
0003106765.tif 000007